(57)【要約】【課題】電力系統に供給される電力を安定化できる仕組みを提供する。【解決手段】消費状態情報に基づいて、系統消費電力量条件及び当該系統消費電力量条件の系統消費価格条件と、系統供給電力量条件及び系統供給価格条件とを算出する系統条件算出部と、系統消費電力量条件及び系統消費価格条件に基づいて、最下層の最下層消費電力量条件及び最下層消費価格条件と、最下層供給電力量条件及び最下層供給価格条件とを算出する最下層条件算出部と、消費電力量条件及び消費電力価格条件を取得する消費条件取得部と、供給電力量条件及び供給電力価格条件を取得する供給条件取得部と、消費電力量条件及び消費電力価格条件と、供給電力量条件及び供給電力価格条件とを分類する分類部と、消費者を選定と、供給者とを選定する選定部と、消費者に消費要求情報と、供給者に供給要求情報とを出力する要求情報出力部と、を備える要求情報出力装置。【選択図】図１
2018032325.tif 000002
【特許請求の範囲】
【請求項１】
複数の階層によって構成される電力系統が供給する系統電力の消費状態を示す消費状態情報に基づいて、前記系統電力の消費者に消費を要求する電力の量の条件である系統消費電力量条件及び当該系統消費電力量条件の要求にかかる価格の条件である系統消費価格条件と、前記電力系統に電力を供給する供給者に供給を要求する電力の量の条件である系統供給電力量条件及び当該系統供給電力量条件の要求にかかる価格の条件である系統供給価格条件とを前記階層に含まれる電力設備毎に算出する系統条件算出部と、
前記系統条件算出部が算出する前記電力設備毎の前記系統消費電力量条件及び前記系統消費価格条件に基づいて、前記階層のうち、最下層の前記電力設備から供給される前記系統電力の消費者に消費を要求する電力の量の条件である最下層消費電力量条件及び当該最下層消費電力量条件の要求にかかる価格の条件である最下層消費価格条件を前記最下層の前記電力設備毎に算出し、前記系統条件算出部が算出する前記電力設備毎の前記系統供給電力量条件及び前記系統供給価格条件に基づいて、前記供給者に供給を要求する電力の量の条件である最下層供給電力量条件及び当該最下層供給電力量条件の要求にかかる価格の条件である最下層供給価格条件を前記最下層の前記電力設備毎に算出する最下層条件算出部と、
前記消費者が消費する前記系統電力の量の条件である消費電力量条件及び当該消費電力量条件が示す前記系統電力を消費する際の価格の条件である消費電力価格条件を取得する消費条件取得部と、
前記供給者が供給する供給電力の量の条件である供給電力量条件及び当該供給電力量条件が示す前記供給電力を供給する際の価格の条件である供給電力価格条件を取得する供給条件取得部と、
前記消費条件取得部が取得する前記消費電力量条件及び前記消費電力価格条件と、前記供給条件取得部が取得する前記供給電力量条件及び前記供給電力価格条件とを前記電力設備毎に分類する分類部と、
前記分類部が分類する前記電力設備毎の前記消費電力量条件及び前記消費電力価格条件と、前記最下層条件算出部が算出する前記最下層消費電力量条件及び前記最下層消費価格条件とに基づいて前記消費者を選定し、前記分類部が分類する前記電力設備毎の前記供給電力量条件及び前記供給電力価格条件と、前記最下層条件算出部が算出する前記最下層供給電力量条件及び前記最下層供給価格条件とに基づいて前記供給者を選定する選定部と、
前記選定部が選定する前記消費者に前記系統電力の消費を要求する消費要求情報と、前記選定部が選定する前記供給者に電力の供給を要求する供給要求情報とを出力する要求情報出力部と、
を備える要求情報出力装置。
【請求項２】
前記電力系統は、
少なくとも３つの階層によって構成される
請求項１に記載の要求情報出力装置。
【請求項３】
前記選定部は、
前記消費電力価格条件が安い順に前記消費者を選定し、前記供給電力価格条件が安い順に前記供給者を選定する
請求項１又は請求項２に記載の要求情報出力装置。
【請求項４】
前記選定部は、
前記系統消費価格条件を満たす前記消費者を選定し、前記系統供給価格条件を満たす前記供給者を選定する
請求項１から請求項３のいずれか一項に記載の要求情報出力装置。
【請求項５】
前記選定部は、
前記消費者が前記系統電力を消費する電力の価格と、当該消費する電力の量とに応じた費用の合計が、前記系統消費価格条件を満たす当該消費者を選定し、前記供給者が供給する電力の価格と、当該供給する電力の量とに応じた費用の合計が、前記系統供給価格条件を満たす当該供給者を選定する
請求項１から請求項４のいずれか一項に記載の要求情報出力装置。
【請求項６】
前記選定部は、
前記消費者が前記系統電力を消費する電力の量の合計が、前記系統消費電力量条件を満たす当該消費者を選定し、前記供給者が供給する電力の量の合計が、前記系統供給電力量条件を満たす当該供給者を選定する
請求項１から請求項５のいずれか一項に記載の要求情報出力装置。
【請求項７】
複数の階層によって構成される電力系統が供給する系統電力の消費状態を示す消費状態情報に基づいて、前記系統電力の消費者に消費を要求する電力の量の条件である系統消費電力量条件及び当該系統消費電力量条件の要求にかかる価格の条件である系統消費価格条件を前記階層に含まれる電力設備毎に算出する系統条件算出部と、
前記系統条件算出部が算出する前記電力設備毎の前記系統消費電力量条件及び前記系統消費価格条件に基づいて、前記階層のうち、最下層の前記電力系統の設備である電力設備から供給される前記系統電力の消費者に消費を要求する電力の量の条件である最下層消費電力量条件及び当該最下層消費電力量条件の要求にかかる価格の条件である最下層消費価格条件を前記電力設備毎に算出する最下層条件算出部と、
前記消費者が消費する前記系統電力の量の条件である消費電力量条件及び当該消費電力量条件が示す前記系統電力を消費する際の価格の条件である消費電力価格条件を取得する消費条件取得部と、
前記消費条件取得部が取得する前記消費電力量条件及び前記消費電力価格条件を前記電力設備毎に分類する分類部と、
前記分類部が分類する前記電力設備毎の前記消費電力量条件及び前記消費電力価格条件と、前記最下層条件算出部が算出する前記最下層消費電力量条件及び前記最下層消費価格条件とに基づいて前記消費者を選定する選定部と、
前記選定部が選定する前記消費者に前記系統電力の消費を要求する消費要求情報を出力する要求情報出力部と、
を備える要求情報出力装置。
【請求項８】
コンピュータに、
複数の階層によって構成される電力系統が供給する系統電力の消費状態を示す消費状態情報に基づいて、前記系統電力の消費者に消費を要求する電力の量の条件である系統消費電力量条件及び当該系統消費電力量条件の要求にかかる価格の条件である系統消費価格条件と、前記電力系統に電力を供給する供給者に供給を要求する電力の量の条件である系統供給電力量条件及び当該系統供給電力量条件の要求にかかる価格の条件である系統供給価格条件とを前記階層に含まれる電力設備毎に算出する系統条件算出ステップと、
前記系統条件算出ステップが算出する前記電力設備毎の前記系統消費電力量条件及び前記系統消費価格条件に基づいて、前記階層のうち、最下層の前記電力設備から供給される前記系統電力の消費者に消費を要求する電力の量の条件である最下層消費電力量条件及び当該最下層消費電力量条件の要求にかかる価格の条件である最下層消費価格条件を前記最下層の前記電力設備毎に算出し、前記系統条件算出ステップが算出する前記電力設備毎の前記系統供給電力量条件及び前記系統供給価格条件に基づいて、前記供給者に供給を要求する電力の量の条件である最下層供給電力量条件及び当該最下層供給電力量条件の要求にかかる価格の条件である最下層供給価格条件を前記最下層の前記電力設備毎に算出する最下層条件算出ステップと、
前記消費者が消費する前記系統電力の量の条件である消費電力量条件及び当該消費電力量条件が示す前記系統電力を消費する際の価格の条件である消費電力価格条件を取得する消費条件取得ステップと、
前記供給者が供給する供給電力の量の条件である供給電力量条件及び当該供給電力量条件が示す前記供給電力を供給する際の価格の条件である供給電力価格条件を取得する供給条件取得ステップと、
前記消費条件取得ステップが取得する前記消費電力量条件及び前記消費電力価格条件と、前記供給条件取得ステップが取得する前記供給電力量条件及び前記供給電力価格条件とを前記電力設備毎に分類する分類ステップと、
前記分類ステップが分類する前記電力設備毎の前記消費電力量条件及び前記消費電力価格条件と、前記最下層条件算出ステップが算出する前記最下層消費電力量条件及び前記最下層消費価格条件とに基づいて前記消費者を選定し、前記分類ステップが分類する前記電力設備毎の前記供給電力量条件及び前記供給電力価格条件と、前記最下層条件算出ステップが算出する前記最下層供給電力量条件及び前記最下層供給価格条件とに基づいて前記供給者を選定する選定ステップと、
前記選定ステップが選定する前記消費者に前記系統電力の消費を要求する消費要求情報と、前記選定ステップが選定する前記供給者に電力の供給を要求する供給要求情報とを出力する要求情報出力ステップと、
を実行させるための要求情報出力プログラム。
【発明の詳細な説明】
【技術分野】
【０００１】
本発明は、要求情報出力装置及び要求情報出力プログラムに関する。
【背景技術】
【０００２】
電力供給会社は、電力系統全体に安定した電力供給を実施するため、電力の供給を受ける需要家が消費する電力と、発電設備が供給する電力とのバランスを保つことが求められる。
従来、需要と供給のバランスを保つことを目的として、電力を供給する発電設備の出力を調整する技術が知られている（例えば、特許文献１）。
【先行技術文献】
【特許文献】
【０００３】
【特許文献１】特開平７−１５８７６号公報
【発明の概要】
【発明が解決しようとする課題】
【０００４】
近年、需要家は、発電設備及び蓄電設備を有する場合がある。この場合、需要家が有する発電設備及び蓄電設備は、電力系統に接続され、当該電力系統との間で電力を充放電する場合がある。ここで、需要家が有する発電設備及び蓄電設備と電力系統との間で電力を充放電することによって、電気事業者が備える発電設備の出力を補い、電力系統の電力供給を安定化できる場合がある。
しかしながら、従来の技術では、電力供給会社が備える発電設備の充放電電力を調整することができない場合には、電力系統に供給される電力が安定しないことがあるという問題があった。
本発明は、上記問題に鑑みて為されたものであり、電力系統に供給される電力を安定化できる仕組みを提供することを目的とする。
【課題を解決するための手段】
【０００５】
本発明の一態様は、複数の階層によって構成される電力系統が供給する系統電力の消費状態を示す消費状態情報に基づいて、前記系統電力の消費者に消費を要求する電力の量の条件である系統消費電力量条件及び当該系統消費電力量条件の要求にかかる価格の条件である系統消費価格条件と、前記電力系統に電力を供給する供給者に供給を要求する電力の量の条件である系統供給電力量条件及び当該系統供給電力量条件の要求にかかる価格の条件である系統供給価格条件とを前記階層に含まれる電力設備毎に算出する系統条件算出部と、前記系統条件算出部が算出する前記電力設備毎の前記系統消費電力量条件及び前記系統消費価格条件に基づいて、前記階層のうち、最下層の前記電力設備から供給される前記系統電力の消費者に消費を要求する電力の量の条件である最下層消費電力量条件及び当該最下層消費電力量条件の要求にかかる価格の条件である最下層消費価格条件を前記最下層の前記電力設備毎に算出し、前記系統条件算出部が算出する前記電力設備毎の前記系統供給電力量条件及び前記系統供給価格条件に基づいて、前記供給者に供給を要求する電力の量の条件である最下層供給電力量条件及び当該最下層供給電力量条件の要求にかかる価格の条件である最下層供給価格条件を前記最下層の前記電力設備毎に算出する最下層条件算出部と、前記消費者が消費する前記系統電力の量の条件である消費電力量条件及び当該消費電力量条件が示す前記系統電力を消費する際の価格の条件である消費電力価格条件を取得する消費条件取得部と、前記供給者が供給する供給電力の量の条件である供給電力量条件及び当該供給電力量条件が示す前記供給電力を供給する際の価格の条件である供給電力価格条件を取得する供給条件取得部と、前記消費条件取得部が取得する前記消費電力量条件及び前記消費電力価格条件と、前記供給条件取得部が取得する前記供給電力量条件及び前記供給電力価格条件とを前記電力設備毎に分類する分類部と、前記分類部が分類する前記電力設備毎の前記消費電力量条件及び前記消費電力価格条件と、前記最下層条件算出部が算出する前記最下層消費電力量条件及び前記最下層消費価格条件とに基づいて前記消費者を選定し、前記分類部が分類する前記電力設備毎の前記供給電力量条件及び前記供給電力価格条件と、前記最下層条件算出部が算出する前記最下層供給電力量条件及び前記最下層供給価格条件とに基づいて前記供給者を選定する選定部と、前記選定部が選定する前記消費者に前記系統電力の消費を要求する消費要求情報と、前記選定部が選定する前記供給者に電力の供給を要求する供給要求情報とを出力する要求情報出力部と、を備える要求情報出力装置である。
【０００６】
また、本発明の一態様の要求情報出力装置において、前記電力系統は、少なくとも３つの階層によって構成される。
【０００７】
また、本発明の一態様の要求情報出力装置において、前記選定部は、前記消費電力価格条件が安い順に前記消費者を選定し、前記供給電力価格条件が安い順に前記供給者を選定する。
【０００８】
また、本発明の一態様の要求情報出力装置において、前記選定部は、前記系統消費価格条件を満たす前記消費者を選定し、前記系統供給価格条件を満たす前記供給者を選定する。
【０００９】
また、本発明の一態様の要求情報出力装置において、前記選定部は、前記消費者が前記系統電力を消費する電力の価格と、当該消費する電力の量とに応じた費用の合計が、前記系統消費価格条件を満たす当該消費者を選定し、前記供給者が供給する電力の価格と、当該供給する電力の量とに応じた費用の合計が、前記系統供給価格条件を満たす当該供給者を選定する。
【００１０】
また、本発明の一態様の要求情報出力装置において、前記選定部は、前記消費者が前記系統電力を消費する電力の量の合計が、前記系統消費電力量条件を満たす当該消費者を選定し、前記供給者が供給する電力の量の合計が、前記系統供給電力量条件を満たす当該供給者を選定する。
【００１１】
また、本発明の一態様は、複数の階層によって構成される電力系統が供給する系統電力の消費状態を示す消費状態情報に基づいて、前記系統電力の消費者に消費を要求する電力の量の条件である系統消費電力量条件及び当該系統消費電力量条件の要求にかかる価格の条件である系統消費価格条件を前記階層に含まれる電力設備毎に算出する系統条件算出部と、前記系統条件算出部が算出する前記電力設備毎の前記系統消費電力量条件及び前記系統消費価格条件に基づいて、前記階層のうち、最下層の前記電力系統の設備である電力設備から供給される前記系統電力の消費者に消費を要求する電力の量の条件である最下層消費電力量条件及び当該最下層消費電力量条件の要求にかかる価格の条件である最下層消費価格条件を前記電力設備毎に算出する最下層条件算出部と、前記消費者が消費する前記系統電力の量の条件である消費電力量条件及び当該消費電力量条件が示す前記系統電力を消費する際の価格の条件である消費電力価格条件を取得する消費条件取得部と、前記消費条件取得部が取得する前記消費電力量条件及び前記消費電力価格条件を前記電力設備毎に分類する分類部と、前記分類部が分類する前記電力設備毎の前記消費電力量条件及び前記消費電力価格条件と、前記最下層条件算出部が算出する前記最下層消費電力量条件及び前記最下層消費価格条件とに基づいて前記消費者を選定する選定部と、前記選定部が選定する前記消費者に前記系統電力の消費を要求する消費要求情報を出力する要求情報出力部と、
を備える要求情報出力装置である。
【００１２】
また、本発明の一態様は、コンピュータに、複数の階層によって構成される電力系統が供給する系統電力の消費状態を示す消費状態情報に基づいて、前記系統電力の消費者に消費を要求する電力の量の条件である系統消費電力量条件及び当該系統消費電力量条件の要求にかかる価格の条件である系統消費価格条件と、前記電力系統に電力を供給する供給者に供給を要求する電力の量の条件である系統供給電力量条件及び当該系統供給電力量条件の要求にかかる価格の条件である系統供給価格条件とを前記階層に含まれる電力設備毎に算出する系統条件算出ステップと、前記系統条件算出ステップが算出する前記電力設備毎の前記系統消費電力量条件及び前記系統消費価格条件に基づいて、前記階層のうち、最下層の前記電力設備から供給される前記系統電力の消費者に消費を要求する電力の量の条件である最下層消費電力量条件及び当該最下層消費電力量条件の要求にかかる価格の条件である最下層消費価格条件を前記最下層の前記電力設備毎に算出し、前記系統条件算出ステップが算出する前記電力設備毎の前記系統供給電力量条件及び前記系統供給価格条件に基づいて、前記供給者に供給を要求する電力の量の条件である最下層供給電力量条件及び当該最下層供給電力量条件の要求にかかる価格の条件である最下層供給価格条件を前記最下層の前記電力設備毎に算出する最下層条件算出ステップと、前記消費者が消費する前記系統電力の量の条件である消費電力量条件及び当該消費電力量条件が示す前記系統電力を消費する際の価格の条件である消費電力価格条件を取得する消費条件取得ステップと、前記供給者が供給する供給電力の量の条件である供給電力量条件及び当該供給電力量条件が示す前記供給電力を供給する際の価格の条件である供給電力価格条件を取得する供給条件取得ステップと、前記消費条件取得ステップが取得する前記消費電力量条件及び前記消費電力価格条件と、前記供給条件取得ステップが取得する前記供給電力量条件及び前記供給電力価格条件とを前記電力設備毎に分類する分類ステップと、前記分類ステップが分類する前記電力設備毎の前記消費電力量条件及び前記消費電力価格条件と、前記最下層条件算出ステップが算出する前記最下層消費電力量条件及び前記最下層消費価格条件とに基づいて前記消費者を選定し、前記分類ステップが分類する前記電力設備毎の前記供給電力量条件及び前記供給電力価格条件と、前記最下層条件算出ステップが算出する前記最下層供給電力量条件及び前記最下層供給価格条件とに基づいて前記供給者を選定する選定ステップと、前記選定ステップが選定する前記消費者に前記系統電力の消費を要求する消費要求情報と、前記選定ステップが選定する前記供給者に電力の供給を要求する供給要求情報とを出力する要求情報出力ステップと、を実行させるための要求情報出力プログラムである。
【発明の効果】
【００１３】
本発明によれば、電力系統に供給される電力を安定化できる仕組みを提供することができる。
【図面の簡単な説明】
【００１４】
【図１】本実施形態の電力系統の一例を示す図である。
【図２】本実施形態の要求情報出力装置の構成の一例を示す図である。
【図３】本実施形態の電力設備の消費状態情報の一例を示す表である。
【図４】本実施形態の系統供給電力量条件及び系統供給価格条件の一例を示す表である。
【図５】本実施形態の系統消費電力量条件及び系統消費価格条件の一例を示す表である。
【図６】本実施形態の分類部が分類した供給電力量条件及び供給電力価格条件の一例を示す表である。
【図７】本実施形態の分類部が分類した消費電力量条件及び消費電力価格条件の一例を示す表である。
【図８】本実施形態の要求情報出力装置の動作の一例を示す流れ図である。
【発明を実施するための形態】
【００１５】
［実施形態］
＜電力系統の概要について＞
以下、図を参照して本発明の第１実施形態について説明する。
図１は、本実形態の電力系統の一例を示す図である。
電力供給会社は、電力の供給を受ける需要家Ｕに電力を供給する。電力供給会社には、一般電気事業者及び小売電気事業者が含まれる。具体的には、需要家Ｕには、発電所が発電する電力が各種電力設備を経て電力が供給される。より具体的には、発電所は、当該発電所が発電する電力を各変電所Ｈに供給する。また、変電所Ｈは、当該変電所Ｈに供給される電力を当該変電所Ｈが電力を供給する対象の配電用変電所ＨＨに供給する。また、配電用変電所ＨＨは、当該配電用変電所ＨＨに供給される電力を当該配電用変電所ＨＨが電力を供給する対象の範囲に存在する配電線に供給する。以降の説明において、配電用変電所ＨＨが電力を供給する対象の範囲に存在する配電線を総称して区域Ａと記載する。すなわち、配電用変電所ＨＨは、当該配電用変電所ＨＨに供給される電力を供給する区域Ａに供給する。
【００１６】
図１に示す通り、この一例では、変電所Ｈは、送電線を介して配電用変電所ＨＨ１、配電用変電所ＨＨ２、配電用変電所ＨＨ３及び配電用変電所ＨＨ４に電力を供給する。
また、配電用変電所ＨＨ１は、区域Ａ１１、区域Ａ１２、区域Ａ１３及び区域Ａ１４に電力を供給する。配電用変電所ＨＨ２は、区域Ａ２１、区域Ａ２２、区域Ａ２３及び区域Ａ２４に電力を供給する。配電用変電所ＨＨ３は、区域Ａ３１、区域Ａ３２、区域Ａ３３及び区域Ａ３４に電力を供給する。配電用変電所ＨＨ４は、区域Ａ４１、区域Ａ４２、区域Ａ４３及び区域Ａ４４に電力を供給する。
以降の説明において、区域Ａ１１、区域Ａ１２、…、区域Ａ４４を区別しない場合には、区域Ａと記載する。また、以降の説明において、配電用変電所ＨＨ１が電力を供給する対象の区域Ａを総称して配電エリアＨＡ１と記載する。配電用変電所ＨＨ２が電力を供給する対象の区域Ａを総称して配電エリアＨＡ２と記載する。配電用変電所ＨＨ３が電力を供給する対象の区域Ａを総称して配電エリアＨＡ３と記載する。配電用変電所ＨＨ４が電力を供給する対象の区域Ａを配電エリアＨＡ４と記載する。また、配電エリアＨＡ１、…、配電エリアＨＡ４を区別しない場合には、総称して配電エリアＨＡと記載する。
また、同一の配電エリアＨＡ内の異なる区域Ａは、開閉器を介して互いに接続される。例えば、配電エリアＨＡ１内の区域Ａ１１、…、区域Ａ１４は、開閉器を介して互いに接続される。電力供給会社は、開閉器の開閉を制御することによって、配電エリアＨＡ内の区域Ａの接続を切替える。
【００１７】
以降の説明において、発電所から需要家Ｕまで電力を供給する電力設備のつながりを総称して電力系統ＳＴと記載する。具体的には、変電所Ｈ、変電所Ｈと配電用変電所ＨＨ１とを接続する送電線、配電用変電所ＨＨ１、配電用変電所ＨＨ１と配電エリアＨＡ１とを接続する配電線及び配電エリアＨＡ１内の区域Ａを互いに接続する配電線を電力系統ＳＴ１と記載する。また、変電所Ｈ、変電所Ｈと配電用変電所ＨＨ２とを接続する送電線、配電用変電所ＨＨ２、配電用変電所ＨＨ２と配電エリアＨＡ２とを接続する配電線及び配電エリアＨＡ２内の区域Ａを互いに接続する配電線を電力系統ＳＴ２と記載する。また、変電所Ｈ、変電所Ｈと配電用変電所ＨＨ３とを接続する送電線、配電用変電所ＨＨ３、配電用変電所ＨＨ３と配電エリアＨＡ３とを接続する配電線及び配電エリアＨＡ３内の区域Ａを互いに接続する配電線を電力系統ＳＴ３と記載する。また、変電所Ｈ、変電所Ｈと配電用変電所ＨＨ４とを接続する送電線、配電用変電所ＨＨ４、配電用変電所ＨＨ４と配電エリアＨＡ４とを接続する配電線及び配電エリアＨＡ４内の区域Ａを互いに接続する配電線を電力系統ＳＴ４と記載する。以降の説明において、電力系統ＳＴ１、…、電力系統ＳＴ４を区別しない場合には、総称して電力系統ＳＴと記載する。
【００１８】
上述したように、発電所から需要家Ｕまで供給される電力は、複数の電力系統ＳＴによって供給される。また、上述したように、電力系統ＳＴは、複数の異なる電力設備を介して需要家Ｕまで電力を供給する。以降の説明において、各電力系統ＳＴに含まれる電力設備であって、同様の役割を担う電力設備を、同一の階層Ｌに含まれる電力設備とも記載する。図１に示す通り、この一例では、変電所Ｈは、階層Ｌ１に含まれる電力設備である。また、配電用変電所ＨＨ１、配電用変電所ＨＨ２、配電用変電所ＨＨ３及び配電用変電所ＨＨ４は、階層Ｌ２に含まれる電力設備である。また、区域Ａ１１、区域Ａ１２、…、区域Ａ４４は、階層Ｌ３に含まれる電力設備である。したがって、電力系統ＳＴは、複数の階層Ｌによって構成される。
【００１９】
なお、上述では、電力系統ＳＴが３つの階層Ｌによって構成される場合について説明したが、これに限られない。例えば、電力系統ＳＴは、４つ以上の階層Ｌによって構成されていてもよい。具体的には、配電用変電所ＨＨが一次配電用変電所と、二次配電用変電所とによって構成される場合、電力系統ＳＴは、４つの階層Ｌによって構成されていてもよい。
【００２０】
＜需要家について＞
図１に示す通り、区域Ａには、当該区域Ａから電力の供給を受ける需要家Ｕが複数存在する。具体的には、区域Ａ１１には、需要家Ｕ１、…、需要家Ｕ４が存在する。また、区域Ａ２１には、需要家Ｕ５、…、需要家Ｕ８が存在する。以降の説明において、需要家Ｕ１、…、需要家Ｕ８を区別しない場合には、総称して需要家Ｕと記載する。
【００２１】
ここで、需要家Ｕには、消費設備を備える需要家Ｕと、供給設備を備える需要家Ｕとがある。消費設備とは、電力系統ＳＴが供給する電力の消費する設備であって、消費する電力を制御することが可能な設備である。消費設備とは、例えば、電熱線方式やヒートポンプ方式の給湯器である。供給設備とは、電力系統ＳＴに電力を供給する設備であって、供給する電力を制御することが可能な設備である。供給設備とは、例えば、蓄電池である。以降の説明において、消費設備を備える需要家Ｕを消費者Ｃとも記載する。
以降の説明において、供給設備を備える需要家Ｕを供給者Ｓとも記載する。
図１に示す通り、この一例では、需要家Ｕ１は、消費者Ｃ１であって、かつ供給者Ｓ１である。需要家Ｕ２は、消費者Ｃ２であって、かつ供給者Ｓ２である。需要家Ｕ３は、消費者Ｃ３であって、かつ供給者Ｓ３である。需要家Ｕ４は、消費者Ｃ４であって、かつ供給者Ｓ４である。需要家Ｕ５は、消費者Ｃ５であって、かつ供給者Ｓ５である。需要家Ｕ６は、消費者Ｃ６であって、かつ供給者Ｓ６である。需要家Ｕ７は、消費者Ｃ７であって、かつ供給者Ｓ７である。需要家Ｕ８は、消費者Ｃ８であって、かつ供給者Ｓ８である。
以降の説明において、消費者Ｃ１、…、消費者Ｃ８を区別しない場合には、総称して消費者Ｃと記載する。また、以降の説明において供給者Ｓ１、…、供給者Ｓ８を区別しない場合には、総称して供給者Ｓと記載する。
【００２２】
なお、上述では、需要家Ｕが消費者Ｃであって、かつ供給者Ｓである場合について説明したが、これに限られない。需要家Ｕは、消費設備のみを備える消費者Ｃであってもよい。また、需要家Ｕは、供給設備のみを備える供給者Ｓであってもよい。また、需要家Ｕは、消費設備及び供給設備を備えていなくてもよい。
【００２３】
＜電力の不足及び超過について＞
ここで、需要家Ｕが電力を使用する使用方法や使用時間帯によっては、当該需要家Ｕに電力を供給する電力系統ＳＴの電力が不足又は超過する場合がある。例えば、区域Ａ２１に存在する需要家Ｕが電力を比較的多く使用することによって、当該区域Ａ２１の電力が不足する場合がある。この場合、電力供給会社は、配電エリアＨＡ１内の区域Ａを接続する開閉器を開閉し、区域Ａの接続を切替えることによって当該配電エリアＨＡ１内の電力を安定させる。具体的には、電力供給会社は、開閉器を開閉することによって、変電所Ｈ内の区域Ａにおいて電力が超過している区域Ａと、不足している区域Ａとを接続し、電力を安定させる。
【００２４】
しかしながら、配電エリアＨＡ内に存在する需要家Ｕのいずれもが電力を比較的多く使用する又は電力を使用しない場合、配電エリアＨＡ内に存在する区域Ａのいずれも電力が不足又は超過する。この場合、当該配電エリアＨＡの電力を安定させることが困難である。配電エリアＨＡの電力を安定させることが困難である場合、電力供給会社は、各階層Ｌの電力設備の改変又は電力設備の運用の変更を行うことが求められる場合がある。
【００２５】
例えば、区域Ａの電力が不足する場合、電力供給会社は、区域Ａが供給する電力の量を増加させるため、区域Ａ内の配電線を増設する。また、区域Ａ内の配電線の増設では電力の不足を補えない場合、電力供給会社は、配電用変電所ＨＨが供給することが可能な電力の量を増加させるため、変圧器を増設する。また、配電用変電所ＨＨの変圧器の増加では電力の不足を補えない場合、電力供給会社は、変電所Ｈが供給することが可能な電力の量を増加させるため、変圧器を増設する。したがって、電力が不足する場合、電力供給会社は、各種設備を増設する費用を低減することが困難である場合がある。
【００２６】
また、例えば、区域Ａ内のある所定の時間のみ電力が超過する場合、電力供給会社は、配電用変電所ＨＨが供給する電力量を当該所定の時間のみ減少させる制御を行う。また、配電用変電所ＨＨが供給する電力量を減少させる制御では電力の超過を解消できない場合、電力供給会社は、変電所Ｈが供給する電力量を当該所定の時間のみ減少させる制御を行う。ここで、発電所が備える発電器等の発電設備及び変電所が備える変圧器等の変電設備は、発電量及び変圧量が一定である場合と、変動する場合とでは、前者の方が効率的に電力を供給することが可能である場合がある。したがって、電力が超過する場合、電力供給会社は、電力を効率的に供給することが困難である場合がある。
【００２７】
ここで、需要家Ｕが消費者Ｃ又は供給者Ｓである場合、上述した電力系統ＳＴの電力の不足及び超過に対応することができる場合がある。具体的には、電力系統ＳＴの電力が不足する場合、供給者Ｓは、供給者Ｓが備える供給設備から当該電力系統ＳＴに電力を供給することによって電力が不足することを抑制することができる。また、電力系統ＳＴの電力が不足する場合、消費者Ｃは、消費者Ｃが備える消費設備によって当該電力系統ＳＴが供給する電力を消費することによって電力が超過することを抑制することができる。
しかしながら、消費者Ｃや供給者Ｓが無秩序に電力の供給及び消費を行っても電力系統ＳＴの電力を安定させることが困難である場合がある。要求情報出力装置１は、各種情報に基づいて、消費者Ｃや供給者Ｓに電力の供給及び消費を要求する情報を出力する。
【００２８】
＜要求情報出力装置の構成について＞
以下、図２を参照して本実施形態の要求情報出力装置１の構成について説明する。
図２は、本実施形態の要求情報出力装置１の構成の一例を示す図である。
図２に示す通り、要求情報出力装置１は、消費状態予測装置ＦＤから消費状態情報ＣＰＣを取得する。
消費状態予測装置ＦＤとは、消費状態情報ＣＰＣを生成する装置である。消費状態情報ＣＰＣとは、電力系統ＳＴが供給する電力（以下、系統電力ＳＰＷ）の消費の状態を示す情報である。この一例では、消費状態情報ＣＰＣには、各電力設備が供給することを求められる系統電力ＳＰＷの量の予測値が示される。消費状態情報ＣＰＣに示される系統電力ＳＰＷの量の予測値とは、例えば、各電力設備が供給する系統電力ＳＰＷの過去の実績に基づいて、既知の方法によって推定される系統電力ＳＰＷの量の予測値である。消費状態予測装置ＦＤは、各電力設備が供給する系統電力ＳＰＷの過去の実績に基づいて、既知の方法によって系統電力ＳＰＷの量を予測し、消費状態情報ＣＰＣを生成する。消費状態予測装置ＦＤは、生成する消費状態情報ＣＰＣを要求情報出力装置１に供給する。
【００２９】
＜消費状態情報について＞
以下、図３を参照して消費状態情報ＣＰＣの詳細について説明する。
図３は、本実施形態の電力設備の消費状態情報ＣＰＣの一例を示す表である。具体的には、図３は、各電力設備の時刻１０時の系統電力ＳＰＷの予測値を示す消費状態情報ＣＰＣである。
図３には、変電所Ｈが供給する系統電力ＳＰＷの予測値（系統電力ＳＰＷ１）が含まれる。また、配電用変電所ＨＨ１が供給する系統電力ＳＰＷの予測値（系統電力ＳＰＷ１１）、配電用変電所ＨＨ２が供給する系統電力ＳＰＷの予測値（系統電力ＳＰＷ１２）、配電用変電所ＨＨ３が供給する系統電力ＳＰＷの予測値（系統電力ＳＰＷ１３）、配電用変電所ＨＨ４が供給する系統電力ＳＰＷの予測値（系統電力ＳＰＷ１４）が含まれる。また、区域Ａ１１が供給する系統電力ＳＰＷの予測値（系統電力ＳＰＷＡ１１）、区域Ａ１２が供給する系統電力ＳＰＷの予測値（系統電力ＳＰＷＡ１２）、…、区域Ａ４１が供給する系統電力ＳＰＷの予測値（系統電力ＳＰＷ４１）が含まれる。
【００３０】
なお、消費状態情報ＣＰＣが各電力設備の時刻１０時の系統電力ＳＰＷの予測値を示す構成に代えて、各電力設備の１時から２４時までの系統電力ＳＰＷの予測値を示す構成であってもよい。例えば、消費状態予測装置ＦＤは、各電力設備が供給する系統電力ＳＰＷの昨日の実績に基づいて、当日の１時から２４時までの系統電力ＳＰＷの量を１時間毎に予測してもよい。
【００３１】
＜消費状態情報取得部及び系統条件算出部について＞
図２に戻り、要求情報出力装置１は、制御部１００を備える。制御部１００は、ＣＰＵ（Ｃｅｎｔｒａｌ  Ｐｒｏｃｅｓｓｉｎｇ  Ｕｎｉｔ）を備えており、消費状態情報取得部１１０と、系統条件算出部１２０と、最下層条件算出部１３０と、消費条件取得部１４０と、供給条件取得部１５０と、分類部１６０と、選定部１７０と、要求情報出力部１８０とをその機能部として備える。
消費状態情報取得部１１０は、消費状態予測装置ＦＤから消費状態情報ＣＰＣを取得する。消費状態情報取得部１１０は、取得した消費状態情報ＣＰＣを系統条件算出部１２０に供給する。
【００３２】
＜系統条件算出部：供給を要求する場合について＞
系統条件算出部１２０は、消費状態情報ＣＰＣに基づいて、供給者Ｓに供給を要求する電力の量の条件である系統供給電力量条件ＳＳＡを各階層Ｌに含まれる電力設備毎に算出する。具体的には、系統条件算出部１２０は、消費状態情報ＣＰＣに含まれる各電力設備の系統電力ＳＰＷの予測値が、当該電力設備が供給することができる電力の量の目安である最大供給量目安を超える場合、系統電力ＳＰＷの予測値と、最大供給量目安との差を系統供給電力量条件ＳＳＡとして算出する。
また、系統条件算出部１２０は、算出する系統供給電力量条件ＳＳＡの要求にかかる価格の条件である系統供給価格条件ＳＳＣを当該系統供給電力量条件ＳＳＡ毎に算出する。ここで、系統供給電力量条件ＳＳＡの要求にかかる価格の条件とは、電力供給会社が、系統供給電力量条件ＳＳＡの要求に応じて供給者Ｓが供給設備から電力を供給することに伴って生じる価格の条件である。また、系統供給価格条件ＳＳＣが示す価格の条件とは、系統供給電力量条件ＳＳＡが示す電力量を供給するために電力設備を改変することによって生じる費用よりも、供給者Ｓが供給設備から電力を供給することに伴う費用の方が低額となる価格を示す条件である。また、この一例では、系統供給価格条件ＳＳＣには、系統供給電力量条件ＳＳＡが示す電力量の１ｋＷｈあたりの価格の条件が示される。
【００３３】
＜系統条件算出部：消費を要求する場合について＞
系統条件算出部１２０は、消費状態情報ＣＰＣに基づいて、消費者Ｃに消費を要求する電力の量の条件である系統消費電力量条件ＳＣＡを各階層Ｌに含まれる電力設備毎に算出する。具体的には、系統条件算出部１２０は、消費状態情報ＣＰＣに含まれる各電力設備の系統電力ＳＰＷの予測値が、最小供給量目安を下回る場合、系統電力ＳＰＷの予測値と、最小供給量目安との差を系統消費電力量条件ＳＣＡとして算出する。最小供給量目安とは、当該電力設備が発電量を抑制することなく供給することができる電力の量の目安である。
また、系統条件算出部１２０は、算出する系統消費電力量条件ＳＣＡの要求にかかる価格の条件である系統消費価格条件ＳＣＣを当該系統消費電力量条件ＳＣＡ毎に算出する。ここで、系統消費電力量条件ＳＣＡの要求にかかる価格の条件とは、電力供給会社が、系統消費電力量条件ＳＣＡを要求に応じて消費者Ｃが消費設備によって電力を消費することに伴って生じる価格の条件である。また、系統消費価格条件ＳＣＣが示す価格の条件とは、系統消費電力量条件ＳＣＡが示す電力量を低減するために電力設備の運用を変更することによって生じる費用よりも、消費者Ｃが消費設備によって電力を消費することに伴う費用の方が低額となる価格を示す条件である。また、この一例では、系統消費価格条件ＳＣＣには、系統消費電力量条件ＳＣＡが示す電力量の１ｋＷｈあたりの価格の条件が示される。
【００３４】
＜系統条件算出部：系統供給電力量条件及び系統供給価格条件について＞
以下、図４を参照して系統条件算出部１２０が算出する系統供給電力量条件ＳＳＡ及び系統供給価格条件ＳＳＣについて説明する。
図４は、本実施形態の系統供給電力量条件ＳＳＡ及び系統供給価格条件ＳＳＣの一例を示す表である。具体的には、図４は、系統条件算出部１２０が、電力系統ＳＴ２の電力設備について系統供給電力量条件ＳＳＡ及び系統供給価格条件ＳＳＣを算出した結果を示す表である。
この一例では、変電所Ｈの最大供給量目安が１７０ｋＷｈである。また配電用変電所ＨＨ２の最大供給量目安が４５ｋＷｈである。また、配電エリアＨＡ２に存在する区域Ａの最大供給量目安は、１６ｋＷｈである。
【００３５】
図３の消費状態情報ＣＰＣが示す通り、この一例では、変電所Ｈの時刻１０時の系統電力ＳＰＷ１が１８０ｋＷｈである。したがって、図４に示す通り、系統条件算出部１２０は、変電所Ｈの系統供給電力量条件ＳＳＡ（系統供給電力量条件ＳＳＡ１）を変電所Ｈの最大供給量目安と、系統電力ＳＰＷ１との差分である１０ｋＷｈと算出する。また、系統条件算出部１２０は、系統供給電力量条件ＳＳＡ１が示す電力量の１ｋＷｈあたりの価格の条件（系統供給価格条件ＳＳＣ１）を算出する。この一例では、系統条件算出部１２０は、系統供給価格条件ＳＳＣ１が３円であると算出する。
図３の消費状態情報ＣＰＣが示す通り、この一例では、配電用変電所ＨＨ２の時刻１０時の系統電力ＳＰＷ１２が５２ｋＷｈである。したがって、図４に示す通り、系統条件算出部１２０は、配電用変電所ＨＨ２の系統供給電力量条件ＳＳＡ（系統供給電力量条件ＳＳＡ１２）を配電用変電所ＨＨ２の最大供給量目安と、系統電力ＳＰＷ１２との差分である７ｋＷｈと算出する。また、系統条件算出部１２０は、系統供給電力量条件ＳＳＡ１２が示す電力量の１ｋＷｈあたりの価格の条件（系統供給価格条件ＳＳＣ１２）を算出する。この一例では、系統条件算出部１２０は、系統供給価格条件ＳＳＣ１２が示す電力量の１ｋＷｈあたりの価格の条件が１０円であると算出する。
図３の消費状態情報ＣＰＣが示す通り、この一例では、配電エリアＨＡ２のうち、時刻１０時の系統電力ＳＰＷが最大供給量目安を超える区域Ａが存在しないため、系統条件算出部１２０は、区域Ａ２１、…、区域Ａ２４の系統供給電力量条件ＳＳＡ及び系統供給価格条件ＳＳＣを算出しない。
以降の説明において、系統条件算出部１２０が算出する電力設備毎の系統供給電力量条件ＳＳＡを区別しない場合には、総称して系統供給電力量条件ＳＳＡと記載する。また、以降の説明において、系統条件算出部１２０が算出する電力設備毎の系統供給価格条件ＳＳＣを区別しない場合には、総称して系統供給価格条件ＳＳＣと記載する。系統条件算出部１２０は、算出する系統供給電力量条件ＳＳＡと、系統供給価格条件ＳＳＣとを最下層条件算出部１３０に供給する。
【００３６】
＜系統条件算出部：系統消費電力量条件及び系統消費価格条件について＞
以下、図５を参照して系統条件算出部１２０が算出する系統消費電力量条件ＳＣＡ及び系統消費価格条件ＳＣＣについて説明する。
図５は、本実施形態の系統消費電力量条件ＳＣＡ及び系統消費価格条件ＳＣＣの一例を示す表である。具体的には、図５は、系統条件算出部１２０が、電力系統ＳＴ１の電力設備について系統消費電力量条件ＳＣＡ及び系統消費価格条件ＳＣＣを算出した結果を示す表である。
この一例では、変電所Ｈの最小供給量目安が１２８ｋＷｈである。また配電用変電所ＨＨ１の最小供給量目安が３２ｋＷｈである。また、配電エリアＨＡ１に存在する区域Ａの最大供給量目安は、８ｋＷｈである。
【００３７】
図３の消費状態情報ＣＰＣが示す通り、この一例では、時刻１０時の変電所Ｈの系統電力ＳＰＷ１が最小供給量目安を下回らないため、系統条件算出部１２０は、変電所Ｈの系統消費電力量条件ＳＣＡ及び系統消費価格条件ＳＣＣを算出しない。
図３の消費状態情報ＣＰＣが示す通り、この一例では、配電用変電所ＨＨ１の時刻１０時の系統電力ＳＰＷ１１が２４ｋＷｈである。したがって、図５に示す通り、系統条件算出部１２０は、配電用変電所ＨＨ１の系統消費電力量条件ＳＣＡ（系統消費電力量条件ＳＣＡ１１）を配電用変電所ＨＨ１の最小供給量目安と、系統電力ＳＰＷ１１との差分である８ｋＷｈと算出する。また、系統条件算出部１２０は、系統消費電力量条件ＳＣＡ１１が示す電力量の１ｋＷｈあたりの価格の条件（系統消費価格条件ＳＣＣ１１）を算出する。この一例では、系統条件算出部１２０は、系統消費価格条件ＳＣＣ１１が示す電力量の１ｋＷｈあたりの価格の条件が１０円であると算出する。
図３の消費状態情報ＣＰＣが示す通り、この一例では、区域Ａ１１の時刻１０時の系統電力ＳＰＷＡ１１が２４ｋＷｈである。したがって、図５に示す通り、系統条件算出部１２０は、配電用変電所ＨＨ１の系統消費電力量条件ＳＣＡ（系統消費電力量条件ＳＣＡＡ１１）を配電用変電所ＨＨ１の最小供給量目安と、系統電力ＳＰＷＡ１１との差分である５ｋＷｈと算出する。また、系統条件算出部１２０は、系統消費電力量条件ＳＣＡＡ１１が示す電力量の１ｋＷｈあたりの価格の条件（系統消費価格条件ＳＣＣＡ１１）を算出する。この一例では、系統条件算出部１２０は、系統消費価格条件ＳＣＣＡ１１が示す電力量の１ｋＷｈあたりの価格の条件が１０円であると算出する。
図３の消費状態情報ＣＰＣが示す通り、この一例では、区域Ａ１４の時刻１０時の系統電力ＳＰＷＡ１４が２４ｋＷｈである。したがって、図５に示す通り、系統条件算出部１２０は、配電用変電所ＨＨ１の系統消費電力量条件ＳＣＡ（系統消費電力量条件ＳＣＡＡ１４）を配電用変電所ＨＨ１の最小供給量目安と、系統電力ＳＰＷＡ１４との差分である５ｋＷｈと算出する。また、系統条件算出部１２０は、系統消費電力量条件ＳＣＡＡ１４が示す電力量の１ｋＷｈあたりの価格の条件（系統消費価格条件ＳＣＣＡ１４）を算出する。この一例では、系統条件算出部１２０は、系統消費価格条件ＳＣＣＡ１４が示す電力量の１ｋＷｈあたりの価格の条件が１０円であると算出する。
以降の説明において、系統条件算出部１２０が算出する電力設備毎の系統消費電力量条件ＳＣＡを区別しない場合には、総称して系統消費電力量条件ＳＣＡと記載する。また、以降の説明において、系統条件算出部１２０が算出する電力設備毎の系統消費価格条件ＳＣＣを区別しない場合には、総称して系統消費価格条件ＳＣＣと記載する。系統条件算出部１２０は、算出する系統消費電力量条件ＳＣＡと、系統消費価格条件ＳＣＣとを最下層条件算出部１３０に供給する。
【００３８】
なお、上述では、消費状態情報ＣＰＣが各電力設備の時刻１０時の系統電力ＳＰＷを示すことに応じて、系統条件算出部１２０が各電力設備の時刻１０時の系統供給電力量条件ＳＳＡ、系統供給価格条件ＳＳＣ、系統消費電力量条件ＳＣＡ及び系統消費価格条件ＳＣＣを算出する場合について説明したが、これに限られない。系統条件算出部１２０は、消費状態情報ＣＰＣが各電力設備の系統電力ＳＰＷの予測値を示す情報に合わせて、系統供給電力量条件ＳＳＡ、系統供給価格条件ＳＳＣ、系統消費電力量条件ＳＣＡ及び系統消費価格条件ＳＣＣを算出してもよい。例えば、消費状態情報ＣＰＣが各電力設備の１時から２４時までの系統電力ＳＰＷの予測値を示す情報である場合、系統条件算出部１２０は、１時から２４時までの１時間毎の系統供給電力量条件ＳＳＡ、系統供給価格条件ＳＳＣ、系統消費電力量条件ＳＣＡ及び系統消費価格条件ＳＣＣを算出してもよい。
【００３９】
＜最下層条件算出部：最下層供給電力量条件及び最下層供給価格条件について＞
図２に戻り、最下層条件算出部１３０は、系統条件算出部１２０が算出する系統供給電力量条件ＳＳＡ及び系統供給価格条件ＳＳＣを取得する。最下層条件算出部１３０は、取得した系統供給電力量条件ＳＳＡ及び系統供給価格条件ＳＳＣに基づいて、階層Ｌのうち、最下層の電力設備毎に最下層供給電力量条件ＬＳＡ及び最下層供給価格条件ＬＳＣを算出する。最下層供給電力量条件ＬＳＡとは、最下層の電力設備に接続される供給設備を備える供給者Ｓに供給を要求する電力の量の条件である。また、最下層供給価格条件ＬＳＣとは、当該最下層供給電力量条件ＬＳＡの要求に応じて供給者Ｓが供給設備から電力を供給することに伴って生じる価格の条件である。この一例では、階層Ｌのうち、最下層の電力設備とは、区域Ａである。最下層条件算出部１３０は、区域Ａよりも上位の階層Ｌの系統供給電力量条件ＳＳＡの和を当該区域Ａの最下層供給電力量条件ＬＳＡとして算出する。また、最下層条件算出部１３０は、区域Ａよりも上位の階層Ｌの系統供給価格条件ＳＳＣの和を当該区域Ａの最下層供給価格条件ＬＳＣとして算出する。
ここで、最下層条件算出部１３０が配電エリアＨＡ２に存在する区域Ａ２１の最下層供給電力量条件ＬＳＡ及び最下層供給価格条件ＬＳＣを算出する場合について説明する。
図４に示す通り、変電所Ｈの系統供給電力量条件ＳＳＡ１は、１０ｋＷｈである。また、配電用変電所ＨＨ２の系統供給電力量条件ＳＳＡ１２は、７ｋＷｈである。したがって、最下層条件算出部１３０は、区域Ａ２１の最下層供給電力量条件ＬＳＡを１７ｋＷｈであると算出する。また、図４に示す通り、系統供給電力量条件ＳＳＡ１の系統供給価格条件ＳＳＣ１は、５円／ｋＷｈである。また、系統供給電力量条件ＳＳＡ１２の系統供給価格条件ＳＳＣ１２は、１０円／ｋＷｈである。したがって、最下層条件算出部１３０は、区域Ａ２１の最下層供給価格条件ＬＳＣを１５円／ｋＷｈであると算出する。
以降の説明において、最下層条件算出部１３０が算出する最下層の電力設備毎の最下層供給電力量条件ＬＳＡを区別しない場合には、総称して最下層供給電力量条件ＬＳＡと記載する。また、最下層条件算出部１３０が算出する最下層の電力設備毎の最下層供給価格条件ＬＳＣを区別しない場合には、総称して最下層供給価格条件ＬＳＣと記載する。最下層条件算出部１３０は、算出した最下層の電力設備毎の最下層供給電力量条件ＬＳＡ及び最下層供給価格条件ＬＳＣを選定部１７０に供給する。
【００４０】
＜最下層条件算出部：最下層消費電力量条件及び最下層消費価格条件について＞
図２に戻り、最下層条件算出部１３０は、系統条件算出部１２０が算出する系統消費電力量条件ＳＣＡ及び系統消費価格条件ＳＣＣを取得する。最下層条件算出部１３０は、取得した系統消費電力量条件ＳＣＡ及び系統消費価格条件ＳＣＣに基づいて、階層Ｌのうち、最下層の電力設備毎に最下層消費電力量条件ＬＣＡ及び最下層消費価格条件ＬＣＣを算出する。最下層消費電力量条件ＬＣＡとは、最下層の電力設備に接続される消費設備を備える消費者Ｃに消費を要求する電力の量の条件である。また、最下層消費価格条件ＬＣＣとは、当該最下層消費電力量条件ＬＣＡの要求に応じて消費者Ｃが消費設備によって電力を消費することに伴って生じる価格の条件である。最下層条件算出部１３０は、区域Ａよりも上位の階層Ｌの系統消費電力量条件ＳＣＡの和を当該区域Ａの最下層消費電力量条件ＬＣＡとして算出する。また、最下層条件算出部１３０は、区域Ａよりも上位の階層Ｌの系統消費価格条件ＳＣＣの和を当該区域Ａの最下層消費価格条件ＬＣＣとして算出する。
ここで、最下層条件算出部１３０が配電エリアＨＡ１に存在する区域Ａ１１の最下層消費電力量条件ＬＣＡ及び最下層消費価格条件ＬＣＣを算出する場合について説明する。
図５に示す通り、配電用変電所ＨＨ１の系統消費電力量条件ＳＣＡ１１は、８ｋＷｈである。また、区域Ａ１１の系統消費電力量条件ＳＣＡＡ１１は、５ｋＷｈである。したがって、最下層条件算出部１３０は、区域Ａ１１の最下層消費電力量条件ＬＣＡを１３ｋＷｈであると算出する。また、図５に示す通り、系統消費電力量条件ＳＣＡ１１の系統消費価格条件ＳＣＣ１１は、１０円／ｋＷｈである。また、図５に示す通り、系統消費電力量条件ＳＣＡＡ１１の系統消費価格条件ＳＣＣＡ１は、１０円ｋＷｈである。したがって、最下層条件算出部１３０は、区域Ａ１１の最下層消費価格条件ＬＣＣを２０円／ｋＷｈであると算出する。
以降の説明において、最下層条件算出部１３０が算出する最下層の電力設備毎の最下層消費電力量条件ＬＣＡを区別しない場合には、総称して最下層消費電力量条件ＬＣＡと記載する。また、最下層条件算出部１３０が算出する最下層の電力設備毎の最下層消費価格条件ＬＣＣを区別しない場合には、総称して最下層消費価格条件ＬＣＣと記載する。最下層条件算出部１３０は、算出した最下層の電力設備毎の最下層消費電力量条件ＬＣＡ及び最下層消費価格条件ＬＣＣを選定部１７０に供給する。
【００４１】
＜制御部：消費条件取得部について＞
図２に戻り、要求情報出力装置１と、サーバＳＶとは、情報の送受信が可能なネットワークを介して接続される。サーバＳＶには、消費者Ｃである需要家Ｕが系統電力ＳＰＷを消費する際の条件である消費電力量条件ＣＡ及び消費電力価格条件ＣＰが当該需要家Ｕと電力供給会社との契約内容を示す契約情報ＣＩとして予め記憶される。
消費電力量条件ＣＡとは、消費者Ｃが消費する電力の量の条件である。また、消費電力価格条件ＣＰとは、当該消費電力量条件ＣＡが示す系統電力ＳＰＷを消費する際の価格の条件である。消費者Ｃは、電力供給会社の要求に応じて、消費者Ｃの所望する時間帯とは異なる時間帯に電力を消費する場合があるため、消費電力価格条件ＣＰとして通常の電力使用価格より低額の消費電力価格条件ＣＰを設定することができる。消費条件取得部１４０は、消費電力量条件ＣＡ及び消費電力価格条件ＣＰをサーバＳＶから取得する。
上述したように、この一例では、需要家Ｕ１、…、需要家Ｕ８が消費者Ｃ１、…消費者Ｃ８である。したがって、サーバＳＶには、消費者Ｃ１、…、消費者Ｃ８のそれぞれに対応する消費電力量条件ＣＡ及び消費電力価格条件ＣＰが予め記憶される。具体的には、サーバＳＶには、消費電力量条件ＣＡ１、…、消費電力量条件ＣＡ８が予め記憶される。また、サーバＳＶには、消費電力価格条件ＣＰ１、…、消費電力価格条件ＣＰ８が予め記憶される。
以降の説明において、消費電力量条件ＣＡ１、…、消費電力量条件ＣＡ８を区別しない場合には、総称して消費電力量条件ＣＡと記載する。また、以降の説明において、消費電力価格条件ＣＰ１、…、消費電力価格条件ＣＰ８を区別しない場合には、総称して消費電力価格条件ＣＰと記載する。
消費条件取得部１４０は、サーバＳＶから取得した消費電力量条件ＣＡ及び消費電力価格条件ＣＰを分類部１６０に供給する。
【００４２】
＜制御部：供給条件取得部について＞
また、サーバＳＶには、供給者Ｓである需要家Ｕが電力系統ＳＴに電力を供給する際の条件である供給電力量条件ＳＡ及び供給電力価格条件ＳＰが当該需要家Ｕと電力供給会社との契約内容を示す契約情報ＣＩとして予め記憶される。
供給電力量条件ＳＡとは、供給者Ｓが供給する電力（以下、供給電力）の量の条件である。また、供給電力価格条件ＳＰとは、当該供給電力量条件ＳＡが示す供給電力を供給する際の価格の条件である。供給者Ｓは、電力供給会社の要求に応じて、供給設備から当該電力系統ＳＴに電力を供給するため、供給電力価格条件ＳＰとして当該電力の価格を設定することができる。供給条件取得部１５０は、供給電力量条件ＳＡ及び供給電力価格条件ＳＰをサーバＳＶから取得する。
上述したように、この一例では、需要家Ｕ１、…、需要家Ｕ８が供給者Ｓ１、…供給者Ｓ８である。したがって、サーバＳＶには、供給者Ｓ１、…、供給者Ｓ８のそれぞれに対応する供給電力量条件ＳＡ及び供給電力価格条件ＳＰが予め記憶される。具体的には、サーバＳＶには、供給電力量条件ＳＡ１、…、供給電力量条件ＳＡ８が予め記憶される。また、サーバＳＶには、供給電力価格条件ＳＰ１、…、供給電力価格条件ＳＰ８が予め記憶される。
以降の説明において、供給電力量条件ＳＡ１、…、供給電力量条件ＳＡ８を区別しない場合には、総称して供給電力量条件ＳＡと記載する。また、以降の説明において、供給電力価格条件ＳＰ１、…、供給電力価格条件ＳＰ８を区別しない場合には、総称して供給電力価格条件ＳＰと記載する。
供給条件取得部１５０は、サーバＳＶから取得した供給電力量条件ＳＡ及び供給電力価格条件ＳＰを分類部１６０に供給する。
【００４３】
＜制御部：分類部１６０について＞
分類部１６０は、供給条件取得部１５０から供給電力量条件ＳＡ及び供給電力価格条件ＳＰを取得する。また、分類部１６０は、取得した供給電力量条件ＳＡ及び供給電力価格条件ＳＰと電力設備毎に分類する。
上述したように、この一例では、分類部１６０は、供給条件取得部１５０から供給電力量条件ＳＡ１、…、供給電力量条件ＳＡ８及び供給電力価格条件ＳＰ１、…、供給電力価格条件ＳＰ８を取得する。
分類部１６０は、供給電力量条件ＳＡ１〜供給電力量条件ＳＡ４を区域Ａ１１の供給電力量条件ＳＡである供給電力量条件ＳＡ１１として分類する。また、分類部１６０は、供給電力量条件ＳＡ５〜供給電力量条件ＳＡ８を区域Ａ２１の供給電力量条件ＳＡである供給電力量条件ＳＡ２１として分類する。
分類部１６０は、供給電力価格条件ＳＰ１〜供給電力価格条件ＳＰ４を区域Ａ１１の供給電力価格条件ＳＰである供給電力価格条件ＳＰ１１として分類する。また、分類部１６０は、供給電力価格条件ＳＰ５〜供給電力価格条件ＳＰ８を区域Ａ２１の供給電力価格条件ＳＰである供給電力価格条件ＳＰ２１として分類する。
【００４４】
分類部１６０は、消費条件取得部１４０から消費電力量条件ＣＡ及び消費電力価格条件ＣＰを取得する。分類部１６０は、取得した消費電力量条件ＣＡ及び消費電力価格条件ＣＰを電力設備毎に分類する。
上述したように、この一例では、分類部１６０は、消費条件取得部１４０から消費電力量条件ＣＡ１、…、消費電力量条件ＣＡ８及び消費電力価格条件ＣＰ１、…、消費電力価格条件ＣＰ８を取得する。
分類部１６０は、消費電力量条件ＣＡ１〜消費電力量条件ＣＡ４を区域Ａ１１の消費電力量条件ＣＡである消費電力量条件ＣＡ１１として分類する。また、分類部１６０は、消費電力量条件ＣＡ５〜消費電力量条件ＣＡ８を区域Ａ１１の消費電力量条件ＣＡである消費電力量条件ＣＡ１１として分類する。
分類部１６０は、消費電力価格条件ＣＰ１〜消費電力価格条件ＣＰ４を区域Ａ１１の消費電力価格条件ＣＰである消費電力価格条件ＣＰ１１として分類する。また、分類部１６０は、消費電力価格条件ＣＰ５〜消費電力価格条件ＣＰ８を区域Ａ１１の消費電力価格条件ＣＰである消費電力価格条件ＣＰ１１として分類する。
【００４５】
図６は、本実施形態の分類部１６０が分類した供給電力量条件ＳＡ及び供給電力価格条件ＳＰの一例を示す表である。具体的には、図６は、区域Ａ２１に接続される供給設備を備える供給者Ｓの供給電力量条件ＳＡ２１及び供給電力価格条件ＳＰ２１を示す表である。
【００４６】
図７は、本実施形態の分類部１６０が分類した消費電力量条件ＣＡ及び消費電力価格条件ＣＰの一例を示す表である。具体的には、図７は、区域Ａ１１に接続される消費設備を備える消費者Ｃの消費電力量条件ＣＡ１１及び消費電力価格条件ＣＰ１１を示す表である。
【００４７】
＜制御部：選定部について＞
図２に戻り、選定部１７０は、最下層条件算出部１３０から最下層消費電力量条件ＬＣＡ、最下層消費価格条件ＬＣＣ、最下層供給電力量条件ＬＳＡ及び最下層供給価格条件ＬＳＣを取得する。また、選定部１７０は、分類部１６０から電力設備毎に分類された消費電力量条件ＣＡ、消費電力価格条件ＣＰ、供給電力量条件ＳＡ及び供給電力価格条件ＳＰを取得する。
【００４８】
＜選定部の消費者の選定について＞
選定部１７０は、電力設備毎に分類された消費電力量条件ＣＡ及び消費電力価格条件ＣＰを提示する消費者Ｃのうち、最下層消費電力量条件ＬＣＡ及び最下層消費価格条件ＬＣＣを満たす消費者Ｃを選定する。具体的には、選定部１７０は、消費電力価格条件ＣＰを提示する消費者Ｃのうち、当該消費電力価格条件ＣＰが安い消費者Ｃを優先して選定する。また、選定部１７０は、消費者Ｃが提示する消費電力量条件ＣＡが最下層消費電力量条件ＬＣＡを満たす消費者Ｃを選定する。
ここで、選定部１７０によって選定される消費者Ｃは、選定部１７０が基準とする情報によって異なる場合がある。以下、選定部１７０が消費者Ｃを選定する具体的な方法について説明する。
【００４９】
＜選定部：消費者毎の消費電力価格条件によって消費者を選定する場合について＞
以下、選定部１７０が消費者Ｃを選定するより具体的な方法について説明する。
選定部１７０は、消費者Ｃの消費電力価格条件ＣＰと、当該消費電力価格条件ＣＰに対応する消費電力量条件ＣＡとに応じた費用の合計が、最下層消費価格条件ＬＣＣを満たす消費者Ｃを選定する。具体的には、選定部１７０は、最下層消費価格条件ＬＣＣを満たす消費者Ｃであって、消費費用の合計が最下層消費費用より低額になる消費者Ｃを選定する。
消費費用とは、消費者Ｃの消費電力価格条件ＣＰと、当該消費電力価格条件ＣＰに対応する消費電力量条件ＣＡとに応じて、当該消費者Ｃに支払う費用である。この一例では、消費費用とは、消費電力価格条件ＣＰと、当該消費電力価格条件ＣＰに対応する消費電力量条件ＣＡとを乗じた金額である。また、最下層消費費用とは、最下層消費価格条件ＬＣＣと、最下層消費電力量条件ＬＣＡとに応じて、電力供給会社が消費者Ｃに支払われることが可能な費用である。この一例では、最下層消費費用とは、最下層消費価格条件ＬＣＣと、最下層消費電力量条件ＬＣＡとを乗じた金額である。
【００５０】
＜選定部：消費者一律の消費電力価格条件によって消費者を選定する場合について＞
なお、上述では、選定部１７０は、消費者Ｃ毎の消費電力価格条件ＣＰによって算出される消費費用及び消費費用の合計に基づいて消費者Ｃを選定する場合について説明したが、これに限られない。選定部１７０は、消費者Ｃに設定される一律の消費電力価格条件ＣＰによって算出される消費費用及び消費費用の合計に基づいて消費者Ｃを選定する構成であってもよい。
選定部１７０は、最下層消費価格条件ＬＣＣを満たす消費者Ｃであって、消費電力価格条件ＣＰと、最下層消費価格条件ＬＣＣとを乗じた値が最下層消費費用より低い金額となる消費者Ｃのうち、最も低額の消費電力価格条件ＣＰを提示する消費者Ｃを選定する。選定部１７０は、最下層消費価格条件ＬＣＣを満たす消費者Ｃのうち当該選定された消費者Ｃより高額の消費電力価格条件ＣＰを提示する消費者Ｃの消費電力価格条件ＣＰを、当該選定された消費者Ｃの消費電力価格条件ＣＰとして消費費用及び消費費用の合計を算出する。選定部１７０は、消費費用の合計が最下層消費費用より低額になる消費者Ｃを選定する。
【００５１】
以下、選定部１７０が区域Ａ１１について消費者Ｃを選定する場合を一例に説明する。上述したように、選定部１７０は、消費電力価格条件ＣＰが安い順に消費者Ｃを選定する。図７に示す通り、区域Ａ１１に存在する消費者Ｃのうち、最も消費電力価格条件ＣＰが安い消費者Ｃは、消費者Ｃ１である。また、区域Ａ１１に存在する消費者Ｃのうち、消費者Ｃ１の次に消費電力価格条件ＣＰが安い消費者Ｃは、消費者Ｃ３である。また、区域Ａ１１に存在する消費者Ｃのうち、消費者Ｃ３の次に消費電力価格条件ＣＰが安い消費者Ｃは、消費者Ｃ４である。また、区域Ａ１１に存在する消費者Ｃのうち、最も消費電力価格条件ＣＰが高い消費者Ｃは、消費者Ｃ２である。したがって、選定部１７０は、消費者Ｃ１、消費者Ｃ３、消費者Ｃ４及び消費者Ｃ２の順に消費者Ｃを選定する。
上述したように、区域Ａ１１の最下層消費価格条件ＬＣＣは、２０円／ｋＷｈである。また、区域Ａ１１の最下層消費電力量条件ＬＣＡは、１３ｋＷｈである。したがって、最低槽消費費用は、２６０円である。
選定部１７０は、消費者Ｃ１、消費者Ｃ３、消費者Ｃ４及び消費者Ｃ２の順に消費者Ｃを選定し、選定する消費者Ｃの消費費用の合計が最下層消費費用より低額となる消費者Ｃを選定する。この一例では、区域Ａ１１に存在する消費者Ｃの消費費用の合計が１６５円であるため、選定部１７０は、消費者Ｃ１から消費者Ｃ４を消費者Ｃとして選定する。
【００５２】
＜選定部の供給者の選定について＞
図２に戻り、選定部１７０は、電力設備毎に分類された供給電力量条件ＳＡ及び供給電力価格条件ＳＰを提示する供給者Ｓのうち、最下層供給電力量条件ＬＳＡ及び最下層供給価格条件ＬＳＣを満たす供給者Ｓを選定する。具体的には、選定部１７０は、供給電力価格条件ＳＰを提示する供給者Ｓのうち、当該供給電力価格条件ＳＰが安い供給者Ｓを優先して選定する。また、選定部１７０は、供給者Ｓが提示する供給電力量条件ＳＡが最下層供給電力量条件ＬＳＡを満たす供給者Ｓを選定する。
ここで、選定部１７０によって選定される供給者Ｓは、選定部１７０が基準とする情報によって異なる場合がある。以下、選定部１７０が供給者Ｓを選定する具体的な方法について説明する。
【００５３】
＜選定部：供給者毎の供給電力価格条件によって供給者を選定する場合について＞
以下、選定部１７０が供給者Ｓを選定するより具体的な方法について説明する。
選定部１７０は、供給者Ｓの供給電力価格条件ＳＰと、当該供給電力価格条件ＳＰに対応する供給電力量条件ＳＡとに応じた費用の合計が、最下層供給価格条件ＬＳＣを満たす供給者Ｓを選定する。具体的には、選定部１７０は、最下層供給価格条件ＬＳＣを満たす供給者Ｓであって、供給費用の合計が最下層供給費用より低額になる供給者Ｓを選定する。
供給費用とは、供給者Ｓの供給電力価格条件ＳＰと、当該供給電力価格条件ＳＰに対応する供給電力量条件ＳＡとに応じて、当該供給者Ｓに支払われる費用である。この一例では、供給費用とは、供給電力価格条件ＳＰと、当該供給電力価格条件ＳＰに対応する供給電力量条件ＳＡとを乗じた金額である。また、最下層供給費用とは、最下層供給価格条件ＬＳＣと、最下層消費電力量条件ＬＣＡとに応じて、電力供給会社が供給者Ｓに支払うことが可能な費用である。この一例では、最下層供給費用とは、最下層供給価格条件ＬＳＣと、最下層消費電力量条件ＬＣＡとを乗じた金額である。
【００５４】
＜選定部：供給者一律の供給電力価格条件によって供給者を選定する場合について＞
なお、上述では、選定部１７０は、供給者Ｓ毎の供給電力価格条件ＳＰによって算出される供給費用及び供給費用の合計に基づいて供給者Ｓを選定する場合について説明したが、これに限られない。選定部１７０は、供給者Ｓに設定される一律の供給電力価格条件ＳＰによって算出される供給費用及び供給費用の合計に基づいて供給者Ｓを選定する構成であってもよい。
選定部１７０は、最下層供給価格条件ＬＳＣを満たす供給者Ｓであって、供給電力価格条件ＳＰと、最下層供給価格条件ＬＳＣとを乗じた値が最下層供給費用より低い金額となる供給者Ｓのうち、最も高額の供給電力価格条件ＳＰを提示する供給者Ｓを選定する。選定部１７０は、最下層供給価格条件ＬＳＣを満たす供給者Ｓのうち当該選定された供給者Ｓより低額の供給電力価格条件ＳＰを提示する供給者Ｓの供給電力価格条件ＳＰを、当該選定された供給者Ｓの供給電力価格条件ＳＰとして供給費用及び供給費用の合計を算出する。選定部１７０は、供給費用の合計が最下層供給費用より低額になる供給者Ｓを選定する。
【００５５】
以下、選定部１７０が区域Ａ２１について供給者Ｓを選定する場合を一例に説明する。
上述したように、選定部１７０は、供給電力価格条件ＳＰが安い順に供給者Ｓを選定する。図６に示す通り、区域Ａ２１に存在する供給者Ｓのうち、最も供給電力価格条件ＳＰが安い供給者Ｓは、供給者Ｓ１である。また、区域Ａ２１に存在する供給者Ｓのうち、供給者Ｓ１の次に供給電力価格条件ＳＰが安い供給者Ｓは、供給者Ｓ３である。また、区域Ａ２１に存在する供給者Ｓのうち、供給者Ｓ３の次に供給電力価格条件ＳＰが安い供給者Ｓは、供給者Ｓ４である。また、区域Ａ２１に存在する供給者Ｓのうち、最も供給電力価格条件ＳＰが高い供給者Ｓは、供給者Ｓ２である。したがって、選定部１７０は、供給者Ｓ１、供給者Ｓ３、供給者Ｓ４及び供給者Ｓ２の順に供給者Ｓを選定する。
上述したように、区域Ａ２１の最下層供給価格条件ＬＳＣは、１５円／ｋＷｈである。また、区域Ａ２１の最下層供給電力量条件ＬＳＡは、１７ｋＷｈである。したがって、最下層供給費用は、２５５円である。
選定部１７０は、供給者Ｓ１、供給者Ｓ３、供給者Ｓ４及び供給者Ｓ２の順に供給者Ｓを選定し、選定する供給者Ｓの供給費用の合計が最下層供給費用より低額となる供給者Ｓを選定する。この一例では、選定部１７０は、区域Ａ２１に存在する供給者Ｓの供給用の合計が１６５円であるため、選定部１７０は、供給者Ｓ１から供給者Ｓ４までを供給者Ｓとして選定する。
【００５６】
＜制御部：要求情報出力部について＞
選定部１７０は、選定する消費者Ｃ及び供給者Ｓを示す情報を要求情報出力部１８０に供給する。要求情報出力部１８０は、選定部１７０が選定する消費者Ｃ及び供給者Ｓを示す情報を取得する。要求情報出力部１８０は、取得した情報に基づいて、消費者Ｃに消費要求情報（以下、消費要求情報）を出力する。また、要求情報出力部１８０は、供給者Ｓに供給要求情報（以下、供給要求情報）を出力する。
ここで、消費者Ｃは、要求情報出力部１８０から取得する情報に基づいて、消費設備に電力の消費をさせる制御を行う構成であってもよい。また、要求情報出力部１８０から取得する情報に基づいて、消費設備の制御装置が制御され、消費設備が動作する構成であってもよい。
また、供給者Ｓは、要求情報出力部１８０から取得する情報に基づいて、供給設備に電力を供給させる制御を行う構成であってもよい。また、要求情報出力部１８０から取得する情報に基づいて、供給設備の制御装置が制御され、供給設備が動作する構成であってもよい。
【００５７】
＜要求情報出力装置の動作について＞
次に図８を参照して、要求情報出力装置１の動作について説明する。
図８は、本実施形態の要求情報出力装置１の動作の一例を示す流れ図である。
要求情報出力装置１が備える系統条件算出部１２０は、消費状態情報取得部１１０が取得する消費状態情報ＣＰＣに基づいて、系統消費電力量条件ＳＣＡ、系統消費価格条件ＳＣＣ、系統供給電力量条件ＳＳＡ及び系統供給価格条件ＳＳＣを算出する（ステップＳ１１０）。最下層条件算出部１３０は、系統条件算出部１２０が算出する系統消費電力量条件ＳＣＡ及び系統消費価格条件ＳＣＣに基づいて、最下層消費電力量条件ＬＣＡ及び最下層消費価格条件ＬＣＣを算出し、系統条件算出部１２０が算出する系統供給電力量条件ＳＳＡ及び系統供給価格条件ＳＳＣに基づいて、最下層供給電力量条件ＬＳＡ及び最下層供給価格条件ＬＳＣを算出する（ステップＳ１２０）。選定部１７０は、分類部１６０が分類する電力設備毎の消費電力量条件ＣＡ及び消費電力価格条件ＣＰと、最下層条件算出部１３０が算出する最下層消費電力量条件ＬＣＡ及び最下層消費価格条件ＬＣＣとに基づいて、消費者Ｃを選定し、分類部１６０が分類する供給電力量条件ＳＡ及び供給電力価格条件ＳＰと、最下層条件算出部１３０が算出する最下層供給電力量条件ＬＳＡ及び最下層供給価格条件ＬＳＣとに基づいて、供給者Ｓを選定する（ステップＳ１３０）。要求情報出力部１８０は、選定部１７０が選定する消費者Ｃに消費要求情報を出力し、選定部１７０が選定する供給者Ｓに供給要求情報を出力する（ステップＳ１４０）。
【００５８】
＜実施形態のまとめ＞
以上説明したように、本実施形態の要求情報出力装置１は、消費状態情報ＣＰＣと、各階層Ｌに含まれる電力設備毎の系統消費電力量条件ＳＣＡ及び系統消費価格条件ＳＣＣと、最下層の階層Ｌに含まれる電力設備の最下層消費電力量条件ＬＣＡ及び最下層消費価格条件ＬＣＣとに基づいて、消費者Ｃを選定し、当該消費者Ｃに消費要求情報を出力する。
また、要求情報出力装置１は、消費状態情報ＣＰＣと、各階層Ｌに含まれる電力設備毎の系統供給電力量条件ＳＳＡ及び系統供給価格条件ＳＳＣと、最下層の階層Ｌに含まれる電力設備の最下層供給電力量条件ＬＳＡ及び最下層供給価格条件ＬＳＣとに基づいて、供給者Ｓを選定し、当該供給者Ｓに供給要求情報を出力する。
【００５９】
本実施形態の要求情報出力装置１によれば、電力系統ＳＴが供給する系統電力ＳＰＷが超過する場合、消費者Ｃが備える消費設備によって系統電力ＳＰＷを消費することを当該消費者Ｃに要求することができる。また、本実施形態の要求情報出力装置１によれば、電力系統ＳＴが供給する系統電力ＳＰＷが不足する場合、供給者Ｓが備える供給設備によって電力系統ＳＴに電力を供給することを当該供給者Ｓに要求することができる。
これにより、電力系統ＳＴが供給する電力を安定させ、電力供給会社が供給する電力の品質を保つことができる。
【００６０】
また、本実施形態の要求情報出力装置１は、少なくとも３つの階層Ｌによって構成される電力系統ＳＴが供給する電力の不足及び超過に応じて、消費者Ｃに電力の消費を要求し、供給者Ｓに電力の供給を要求する。
本実施形態の要求情報出力装置１によれば、変電所Ｈ、配電用変電所ＨＨ及び区域Ａ毎の電力の不足及び超過に応じて、消費者Ｃに電力の消費を要求し、供給者Ｓに電力の供給を要求することができる。
【００６１】
また、本実施形態の要求情報出力装置１が備える選定部１７０は、消費電力価格条件ＣＰが安い順に消費者Ｃを選定し、供給電力価格条件ＳＰが安い順に供給者Ｓを選定する。
本実施形態の要求情報出力装置１によれば、電力系統ＳＴの電力の超過の程度に応じて消費者Ｃに電力の消費を要求することに伴う当該電力の価格が低額である消費者Ｃに当該要求を行うことができる。また、本実施形態の要求情報出力装置１によれば、電力系統ＳＴの電力の不足に応じて供給者Ｓに電力の供給を要求することに伴う当該電力の価格が低額である供給者Ｓに当該要求を行うことができる。
【００６２】
また、本実施形態の要求情報出力装置１が備える選定部１７０は、系統消費価格条件ＳＣＣを満たす消費者Ｃを選定し、当該消費者Ｃ毎の消費電力価格条件ＣＰ又は一律の消費電力価格条件ＣＰが設定された消費者Ｃを選定する。
消費者Ｃ毎の消費電力価格条件ＣＰによって消費者Ｃを選定する場合、本実施形態の要求情報出力装置１は、電力系統ＳＴの電力の超過の程度に応じて消費者Ｃに電力の消費を要求することに伴う当該電力の価格を当該消費者Ｃが所望する価格と一致する価格によって当該要求を行うことができる。また、一律の消費電力価格条件ＣＰによって消費者Ｃを選定する場合、本実施形態の要求情報出力装置１は、電力系統ＳＴの電力の超過の程度に応じて消費者Ｃに電力の消費を要求することに伴う当該電力の価格を当該消費者Ｃが所望する価格と一致又はより低額な価格によって当該要求を行うことができる。また、本実施形態の要求情報出力装置１は、一律の消費電力価格条件ＣＰによって消費者Ｃに当該要求をすることにより、消費者Ｃ毎に異なる消費電力価格条件ＣＰによって当該要求を行う場合と比較して手間を低減することができる。
【００６３】
また、本実施形態の要求情報出力装置１が備える選定部１７０は、系統供給価格条件ＳＳＣを満たす供給者Ｓを選定し、当該供給者Ｓ毎の供給電力価格条件ＳＰ又は一律の供給電力価格条件ＳＰが設定された消費者Ｃを選定する。また、一律の消費電力価格条件ＣＰによって消費者Ｃを選定する場合、本実施形態の要求情報出力装置１は、消費者Ｃ毎に異なる消費電力価格条件ＣＰによって当該要求をする手間を低減することができる。
供給者Ｓ毎の供給電力価格条件ＳＰによって消費者Ｃを選定する場合、本実施形態の要求情報出力装置１は、電力系統ＳＴの電力の不足に応じて供給者Ｓに電力の供給を要求することに伴う当該電力の価格を供給者Ｓが所望する価格と一致する価格によって当該要求を行うことができる。また、一律の供給電力価格条件ＳＰによって供給者Ｓを選定する場合、本実施形態の要求情報出力装置１は、電力系統ＳＴの電力の不足に応じて供給者Ｓに電力の供給を要求することに伴う当該電力の価格を供給者Ｓが所望する価格と一致又はより高額な価格によって当該要求を行うことができる。また、本実施形態の要求情報出力装置１は、一律の供給電力価格条件ＳＰによって供給者Ｓに当該要求をすることにより、供給者Ｓ毎に異なる供給電力価格条件ＳＰによって当該要求を行う場合と比較して手間を低減することができる。
【００６４】
また、本実施形態の要求情報出力装置１が備える選定部１７０は、消費者Ｃが系統電力ＳＰＷを消費する電力の価格と、当該消費する電力の量とに応じた費用（この一例では、消費費用）の合計が、系統消費価格条件ＳＣＣを満たす当該消費者Ｃを選定し、供給者Ｓが供給する電力の価格と、当該供給する電力の量とに応じた費用（この一例では、供給費用）の合計が、系統供給価格条件ＳＳＣを満たす当該供給者Ｓを選定する。
本実施形態の要求情報出力装置１によれば、電力系統ＳＴの電力の超過を解消するために電力設備の運用を変更することに伴う費用よりも安い費用によって電力系統ＳＴの電力の超過を解消することができる。また、本実施形態の要求情報出力装置１によれば、電力系統ＳＴの電力の不足を解消するために電力設備の改変することに伴う費用よりも安い費用によって電力系統ＳＴの電力の不足を解消することができる。
【００６５】
また、本実施形態の要求情報出力装置１が備える選定部１７０は、消費者Ｃが系統電力ＳＰＷを消費する電力の量の合計が、系統消費電力量条件ＳＣＡを満たす当該消費者Ｃを選定し、供給者Ｓが供給する電力の量の合計が、系統供給電力量条件ＳＳＡを満たす当該供給者Ｓを選定する。
本実施形態の要求情報出力装置１によれば、電力系統ＳＴの電力の超過を解消するために消費することが求められる電力の量を消費者Ｃに消費することを要求することができる。また、本実施形態の要求情報出力装置１によれば、電力系統ＳＴの電力の不足を解消するために供給することが求められる電力の量を供給者Ｓに供給することを要求することができる。これにより、電力系統ＳＴが供給する電力を安定させ、電力供給会社が供給する電力の品質を保つことができる。
【００６６】
なお、上述では、要求情報出力装置１が消費者Ｃ及び供給者Ｓを選定する場合について説明したが、これに限られない。要求情報出力装置１は、電力系統ＳＴの電力が超過する場合、消費者Ｃを選定し、当該消費者Ｃに電力の消費を要求する構成であってもよい。
この場合、要求情報出力装置１が備える系統条件算出部１２０は、消費状態情報ＣＰＣに基づいて、系統消費電力量条件ＳＣＡ及び系統消費価格条件ＳＣＣを算出する。また、最下層条件算出部１３０は、系統条件算出部１２０が算出する系統消費電力量条件ＳＣＡ及び系統消費価格条件ＳＣＣに基づいて、最下層消費電力量条件ＬＣＡ及び最下層消費価格条件ＬＣＣを算出する。また、分類部１６０は、消費電力量条件ＣＡ及び消費電力価格条件ＣＰを電力設備毎に分類する。選定部１７０は、最下層条件算出部１３０が算出する最下層消費電力量条件ＬＣＡ及び最下層消費価格条件ＬＣＣと、分類部１６０が分類する消費電力量条件ＣＡ及び消費電力価格条件ＣＰとに基づいて、消費者Ｃを選定する。要求情報出力部１８０は、選定部１７０が選定する消費者Ｃに対して系統電力ＳＰＷの消費を要求する情報を出力する。
【００６７】
本実施形態の要求情報出力装置１によれば、電力系統ＳＴが供給する系統電力ＳＰＷが超過する場合、消費者Ｃが備える消費設備によって系統電力ＳＰＷを消費することを当該消費者Ｃに要求することができる。これにより、電力系統ＳＴが供給する電力を安定させ、電力供給会社が供給する電力の品質を保つことができる。
【００６８】
なお、上記の各実施形態における要求情報出力装置１が備える各部は、専用のハードウェアにより実現されるものであってもよく、また、メモリおよびマイクロプロセッサにより実現させるものであってもよい。
【００６９】
なお、要求情報出力装置１が備える各部は、メモリおよびＣＰＵ（中央演算装置）により構成され、要求情報出力装置１が備える各部の機能を実現するためのプログラムをメモリにロードして実行することによりその機能を実現させるものであってもよい。
【００７０】
また、要求情報出力装置１が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００７１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００７２】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００７３】
１…要求情報出力装置、１００…制御部、１１０…消費状態情報取得部、１２０…系統条件算出部、１３０…最下層条件算出部、１４０…消費条件取得部、１５０…供給条件取得部、１６０…分類部、１７０…選定部、１８０…要求情報出力部、Ａ、Ａ１１、Ａ１２、Ａ１３、Ａ１４、Ａ２１、Ａ２２、Ａ２３、Ａ２４、Ａ３１、Ａ３２、Ａ３３、Ａ３４、Ａ４１、Ａ４２、Ａ４３、Ａ４４…区域、Ｃ、Ｃ１、Ｃ２、Ｃ３、Ｃ４、Ｃ５、Ｃ６、Ｃ７、Ｃ８…消費者、ＣＡ、ＣＡ１、ＣＡ１１、ＣＡ３、ＣＡ４、ＣＡ５、ＣＡ８…消費電力量条件、ＣＰ、ＣＰ１、ＣＰ１１、ＣＰ３、ＣＰ４、ＣＰ５、ＣＰ８…消費電力価格条件、Ｈ…変電所、ＨＡ、ＨＡ１、ＨＡ２、ＨＡ３、ＨＡ４…配電エリア、ＨＨ、ＨＨ１、ＨＨ２、ＨＨ３、ＨＨ４…配電用変電所、Ｌ、Ｌ１、Ｌ２、Ｌ３…階層、ＬＣＡ…最下層消費電力量条件、ＬＣＣ…最下層消費価格条件、ＬＳＡ…最下層供給電力量条件、ＳＴ、ＳＴ１、ＳＴ２、ＳＴ３、ＳＴ４…電力系統、Ｕ、Ｕ１、Ｕ２、Ｕ３、Ｕ４、Ｕ５、Ｕ６、Ｕ７、Ｕ８…需要家
【図１】
2018032325.tif 000003
【図２】
2018032325.tif 000004
【図３】
2018032325.tif 000005
【図４】
2018032325.tif 000006
【図５】
2018032325.tif 000007
【図６】
2018032325.tif 000008
【図７】
2018032325.tif 000009
【図８】
2018032325.tif 000010